(57)【要約】【課題】ユーザ側の要求に応じた帯域変更が低コスト且つ柔軟に行える加入者側終端装置を提供することを目的とする。【解決手段】加入者側終端装置は、外部からの下り光信号Ｗｄが入力され、且つ外部へ上り光信号Ｗｕを出力する光送受信端子３７と、光送受信端子３７からの下り光信号Ｗｄを下り原波長の下り原光信号Ｌｄ０と下り拡張波長の下り拡張光信号Ｌｄａ−ｎとに分波し、且つ上り原波長の上り原光信号Ｌｕ０と上り拡張波長の上り拡張光信号Ｌｕａ−ｎとを合波して光送受信端子３７へ出力する光合分波器３４と、光合分波器３４からの下り原光信号Ｌｄ０を受信し、且つ上り原光信号Ｌｕ０を光合分波器３４へ出力する加入者側原送受信部３２と、光合分波器３４で分波された下り拡張光信号Ｌｄａ−ｎが結合され、且つ上り拡張光信号Ｌｕａ−ｎを光合分波器３４へ結合する拡張用接続端子３５と、を有する原送受信ユニット３０を含む。【選択図】図１４
2011014960.tif 000002
【特許請求の範囲】
【請求項１】
外部からの下り光信号が入力され、且つ外部へ上り光信号を出力する光送受信端子と、
前記光送受信端子からの前記下り光信号を下り原波長の下り原光信号と下り拡張波長の下り拡張光信号とに分波し、且つ上り原波長の上り原光信号と上り拡張波長の上り拡張光信号とを合波して前記光送受信端子へ出力する光合分波器と、
前記光合分波器からの前記下り原光信号を受信し、且つ前記上り原光信号を前記光合分波器へ出力する加入者側原送受信部と、
前記光合分波器で分波された前記下り拡張光信号が結合され、且つ前記上り拡張光信号を前記光合分波器へ結合する拡張用接続端子と、
を有する原送受信ユニットを含む加入者側終端装置。
【請求項２】
前記下り拡張光信号が入力され、且つ前記上り拡張光信号を出力する第１連結用接続端子と、
前記上り拡張光信号が入力され、且つ前記下り拡張光信号を出力する第２連結用接続端子と、
１つの前記下り拡張波長の前記下り拡張光信号を受信し、且つ１つの前記上り拡張波長の前記上り拡張光信号を出力する少なくとも１つの加入者側拡張送受信部と、
前記第１連結用接続端子からの前記下り拡張光信号を分岐し、一方を前記第２連結用接続端子へ結合し、他方を前記加入者側拡張送受信部へ結合し、且つ前記第２連結用接続端子からの前記上り拡張光信号と前記加入者側拡張送受信部からの前記上り拡張光信号とを合流する光カプラと、
を有する拡張送受信ユニットをさらに含み、
前記拡張用接続端子と前記第１連結用接続端子とを接続することで前記原送受信ユニットと前記拡張送受信ユニットとが連結しており、
前記原送受信ユニットは、前記光送受信端子に入力された前記下り光信号のうち前記下り拡張光信号を前記拡張送受信ユニットの前記加入者側拡張送受信部に受信させ、
前記拡張送受信ユニットは、前記原送受信ユニットに前記加入者側拡張送受信部からの前記上り拡張光信号を前記光送受信端子から出力させる
ことを特徴とする請求項１に記載の加入者側終端装置。
【請求項３】
前記第２連結用接続端子と前記第１連結用接続端子とを接続することで複数の前記拡張送受信ユニットが連結しており、
前記原送受信ユニット側にある１の前記拡張送受信ユニットと連結する他の前記拡張送受信ユニットは、前記１の前記拡張送受信ユニットを経由した前記下り拡張光信号を受信し、前記上り拡張光信号を前記１の前記拡張送受信ユニットを経由させ前記原送受信ユニットの前記光送受信端子から出力させることを特徴とする請求項２に記載の加入者側終端装置。
【請求項４】
前記拡張送受信ユニットは、前記光カプラと前記第１連結用接続端子との間で前記下り拡張光信号及び前記上り拡張光信号を増幅する光増幅器をさらに有することを特徴とする請求項２又は３に記載の加入者側終端装置。
【請求項５】
下り原波長において複数の信号光を光時分割多重化して下り原光信号を出力し、且つ上り原波長において光時分割多重化された上り原光信号を受信する局側原送受信部と、
前記下り原波長と異なる下り拡張波長の下り拡張光信号を出力し、且つ前記上り原波長と異なる上り拡張波長の上り拡張光信号を受信する少なくとも１つの局側拡張送受信部と、
前記局側原送受信部からの前記下り原光信号と前記局側拡張送受信部からの前記下り拡張光信号とを合波した下り光信号を外部へ出力し、且つ外部からの上り光信号を前記上り原光信号と前記上り拡張光信号とに分波してそれぞれを前記局側原送受信部と前記局側拡張送受信部に結合する光合分波器と、
を有する局側終端装置。
【請求項６】
特定の前記下り拡張光信号が少なくとも１つの前記下り拡張波長を専有するように前記下り拡張波長を割り振り、特定の前記上り拡張光信号が少なくとも１つの前記上り拡張波長を専有するように前記上り拡張波長を割り振るバンドアロケーションコントローラをさらに有することを特徴とする請求項５に記載の局側終端装置。
【請求項７】
１つの前記下り拡張波長において複数の前記下り拡張光信号が光時分割多重化するように前記下り拡張波長のタイムスロットを前記下り拡張光信号に割り振り、１つの前記上り拡張波長において複数の前記上り拡張光信号が光時分割多重化するように前記上り拡張波長のタイムスロットを前記上り拡張光信号に割り振るバンドアロケーションコントローラをさらに有することを特徴とする請求項５に記載の局側終端装置。
【請求項８】
請求項１から３のいずれかに記載の加入者側終端装置と、
請求項５から７のいずれかに記載の局側終端装置と、
前記局側終端装置からの前記下り光信号を分岐して前記加入者側終端装置に結合し、且つ前記加入者側終端装置からの前記上り光信号を合流して前記局側終端装置に結合する光スプリッタと、
を備える光通信システムであって、
前記局側終端装置は、前記加入者側終端装置に対して前記下り光信号に前記下り原光信号と前記下り拡張信号を含めて送信し、
前記加入者側終端装置は、前記光スプリッタで前記上り光信号が合流したときに光時分割多重化されるように前記上り光信号を送信する
ことを特徴とする光通信システム。
【請求項９】
前記局側終端装置は、前記加入者側終端装置に対して前記上り拡張光信号に使用する前記上り拡張波長を指定するシグナリングを前記下り原波長を利用して行い、前記加入者側終端装置への前記下り拡張光信号に使用する前記下り拡張波長を指定するバンドアロケーションコントローラを有することを特徴とする請求項８に記載の光通信システム。
【請求項１０】
前記局側終端装置は、前記加入者側終端装置に対して前記上り拡張光信号に使用する前記上り拡張波長を指定するシグナリングを前記下り拡張波長を利用して行い、前記加入者側終端装置への前記下り拡張光信号に使用する前記下り拡張波長を指定するバンドアロケーションコントローラを有することを特徴とする請求項８に記載の光通信システム。
【発明の詳細な説明】
【技術分野】
【０００１】
本発明は、波長分割多重化方式と光時分割多重化方式とを組み合わせた光通信の光通信システム及びこのシステムが備える終端装置に関する。
【背景技術】
【０００２】
従来、光アクセスシステムでは局側設備及び光ファイバの削減を主目的とした１対多トポロジーの光通信システムが用いられることがある。特に図１のスター型トポロジーはＰＯＮ（Ｐａｓｓｉｖｅ  Ｏｐｔｉｃａｌ  Ｎｅｔｗｏｒｋ）と呼ばれている。ＰＯＮは、局側終端装置（ＯＬＴ：Ｏｐｔｉｃａｌ  Ｌｉｎｅ  Ｔｅｒｍｉｎａｌ）１１が光スプリッタ１２を通して複数の加入者側終端装置（ＯＮＵ：Ｏｐｔｉｃａｌ  Ｎｅｔｗｏｒｋ  Ｕｎｉｔ）１３と接続されている。
【０００３】
ＰＯＮでより広帯域を目指す方式として、単純に回線速度を上げる方式が上げられる。例えば、回線速度を１Ｇｂ／ｓのＧＥ−ＰＯＮまたはＧ−ＰＯＮから、１０Ｇｂ／ｓの１０Ｇ−ＰＯＮに上げる方式などが現在検討されている。
【０００４】
また、別の方式として光スプリッタに波長フィルタを使用するＷＤＭ（Ｗａｖｅｌｅｎｇｔｈ  Ｄｉｖｉｓｉｏｎ  Ｍｕｌｔｉｐｌｅｘｉｎｇ）方式が提案されている（例えば、特許文献１を参照。）。さらに、光スプリッタを使用したＷＤＭ−ＰＯＮの研究（例えば、非特許文献１を参照。）も行われている。特許文献１のＯＮＵは一波長のみ送受信できる。
【先行技術文献】
【特許文献】
【０００５】
【特許文献１】特開平１０−２２９３６３号公報
【非特許文献】
【０００６】
【非特許文献１】Ｃｏｌｏｒｌｅｓｓ  ａｎｄ  ｐｌｕｇ−ａｎｄ−ｐｌａｙ  ｔｅｃｈｎｏｌｏｇｉｅｓ  ｆｏｒ  ＷＤＭ  ａｃｃｅｓｓ  ｏｖｅｒ  ｅｘｉｓｔｉｎｇ  ｐｏｗｅｒ−ｓｐｌｉｔｔｅｒ−ｂａｓｅｄ  ｉｎｆｒａｓｔｒｕｃｔｕｒｅ，  Ｈ．Ｓｕｚｕｋｉ，  ｅｔ  ａｌ．，  Ｊ．  Ｏｐｔｉｃａｌ  Ｎｅｔｗｏｒｋｉｎｇ，  ｖｏｌ．６，  ｐｐ．８３０−８３９，  ２００７
【発明の概要】
【発明が解決しようとする課題】
【０００７】
今後、通信サービスの急激な高度化に伴う広帯域化により、従来の光通信システムでは帯域不足が生じ、光通信システムの広帯域化が必要と予想されている。
【０００８】
前述のＰＯＮ全体の回線速度を上げる方式では、回線速度の上昇のための切り替えコストが高いという課題がある。
【０００９】
一方、前述のＷＤＭ方式にも、設備の更改にはＯＬＴ，ＯＮＵの交換、更に光スプリッタから波長フィルタへの交換が必要となり、切り替えコストが高いという課題がある。さらに、光スプリッタを用いたＷＤＭ−ＰＯＮであっても、ユーザ側の各ＯＮＵへの提供帯域が固定される。つまり、各ＯＮＵは波長フィルタにより専用波長のみを使用することになるため、ＷＤＭ方式には帯域を柔軟に変更すること困難という課題がある。
【００１０】
前記課題を解決するために、本発明は、ユーザ側の要求に応じた帯域変更が低コスト且つ柔軟に行える加入者側終端装置、局側終端装置、及び光通信システムを提供することを目的とする。
【課題を解決するための手段】
【００１１】
上記目的を達成するために、本発明に係る光通信システムは、拡張ＰＯＮシステムを必要に応じて既存ＰＯＮシステムに追加することができる。そして、本発明に係る加入者側終端装置は、拡張送受信ユニットを接続するための端子を有する原送受信ユニットを備える。また、拡張送受信ユニットは、可変波長光源と波長可変フィルタによる任意の波長を送受信できる光送受信部を１以上有する。なお、本明細書では、既存ＰＯＮシステムで使用される既存の波長を原波長（上り原波長及び下り原波長）と記載し、拡張ＰＯＮシステムで追加される波長を拡張波長（上り拡張波長及び下り拡張波長）と記載する。
【００１２】
具体的には、本発明に係る加入者側終端装置は、外部からの下り光信号が入力され、且つ外部へ上り光信号を出力する光送受信端子と、前記光送受信端子からの前記下り光信号を下り原波長の下り原光信号と下り拡張波長の下り拡張光信号とに分波し、且つ上り原波長の上り原光信号と上り拡張波長の上り拡張光信号とを合波して前記光送受信端子へ出力する光合分波器と、前記光合分波器からの前記下り原光信号を受信し、且つ前記上り原光信号を前記光合分波器へ出力する加入者側原送受信部と、前記光合分波器で分波された前記下り拡張光信号が結合され、且つ前記上り拡張光信号を前記光合分波器へ結合する拡張用接続端子と、を有する原送受信ユニットを備える。
【００１３】
本発明に係る加入者側終端装置は、拡張用接続端子に後述する拡張送受信ユニットを接続するだけで帯域を広げることができる。従って、本発明は、ユーザ側の要求に応じた帯域変更が低コスト且つ柔軟に行える加入者側終端装置を提供することができる。
【００１４】
本発明に係る加入者側終端装置は、拡張送受信ユニットをさらに持つ。拡張送受信ユニットは、第１連結用接続端子と、第２連結用接続端子と、少なくとも１つの加入者側拡張送受信部と、光カプラと、を有する。第１連結用接続端子は、前記下り拡張光信号が入力され、且つ前記上り拡張光信号を出力する。第２連結用接続端子は、前記上り拡張光信号が入力され、且つ前記下り拡張光信号を出力する。加入者側拡張送受信部は、１つの前記下り拡張波長の前記下り拡張光信号を受信し、且つ１つの前記上り拡張波長の前記上り拡張光信号を出力する。光カプラは、前記第１連結用接続端子からの前記下り拡張光信号を分岐し、一方を前記第２連結用接続端子へ結合し、他方を前記加入者側拡張送受信部へ結合する。さらに、光カプラは、前記第２連結用接続端子からの前記上り拡張光信号と前記加入者側拡張送受信部からの前記上り拡張光信号とを合流する。
【００１５】
加入者側終端装置は、前記拡張用接続端子と前記第１連結用接続端子とを接続することで前記原送受信ユニットと前記拡張送受信ユニットとを連結している。前記原送受信ユニットは、前記光送受信端子に入力された前記下り光信号のうち前記下り拡張光信号を前記拡張送受信ユニットの前記加入者側拡張送受信部に受信させる。前記拡張送受信ユニットは、前記原送受信ユニットに前記加入者側拡張送受信部からの前記上り拡張光信号を前記光送受信端子から出力させる。
【００１６】
本加入者側終端装置は、既存の下り原波長の下り原光信号を原送受信ユニットで受信し、拡張された下り拡張波長の下り拡張光信号を拡張送受信ユニットで受信することができる。さらに、本加入者側終端装置は、既存の上り原波長の上り原光信号を原送受信ユニットが出力し、拡張された上り拡張波長の上り拡張光信号を拡張送受信ユニットが出力することができる。既存ＰＯＮシステムの既存の加入者側終端装置を本発明に係る加入者側終端装置に置換すること、又は既存の加入者側終端装置内の送受信ユニットを前記原送受信ユニットになるように改造することで、前記拡張送受信ユニットが接続でき、帯域を広げることができる。
【００１７】
本発明に係る加入者側終端装置は、前記第２連結用接続端子と前記第１連結用接続端子とを接続することで複数の前記拡張送受信ユニットが連結しており、前記原送受信ユニット側にある１の前記拡張送受信ユニットと連結する他の前記拡張送受信ユニットは、前記１の前記拡張送受信ユニットを経由した前記下り拡張光信号を受信し、前記上り拡張光信号を前記１の前記拡張送受信ユニットを経由させ前記原送受信ユニットの前記光送受信端子から出力させることを特徴とする。
【００１８】
本加入者側終端装置は、原送受信ユニットに連結した拡張送受信ユニットに、さらに拡張送受信ユニットを連結することができる。従って、ユーザの要求に応じて帯域を低コスト且つ柔軟に変更することができる。
【００１９】
本発明に係る加入者側終端装置の前記拡張送受信ユニットは、前記光カプラと前記第１連結用接続端子との間で前記下り拡張光信号及び前記上り拡張光信号を増幅する光増幅器をさらに有することが好ましい。光増幅器が下り拡張光信号及び上り拡張光信号を増幅することで、光カプラによる損失を補償することができる。
【００２０】
上記目的を達成するために、本発明に係る局側終端装置は、需要に応じて送受信できる波長数を変更できる構成とする。
【００２１】
具体的には、本発明に係る局側終端装置は、下り原波長において複数の信号光を光時分割多重化して下り原光信号を出力し、且つ上り原波長において光時分割多重化された上り原光信号を受信する局側原送受信部と、前記下り原波長と異なる下り拡張波長の下り拡張光信号を出力し、且つ前記上り原波長と異なる上り拡張波長の上り拡張光信号を受信する少なくとも１つの局側拡張送受信部と、前記局側原送受信部からの前記下り原光信号と前記局側拡張送受信部からの前記下り拡張光信号とを合波した下り光信号を外部へ出力し、且つ外部からの上り光信号を前記上り原光信号と前記上り拡張光信号とに分波してそれぞれを前記局側原送受信部と前記局側拡張送受信部に結合する光合分波器と、を有する。
【００２２】
局側終端装置は、既存の下り原波長の他に拡張する下り拡張波長を有している。既存の加入者側終端装置に対しては既存の状態、すなわち下り原波長で下り原光信号のまま送信すればよい。一方、広帯域を要求する加入者側終端装置に対しては下り原波長の他に下り拡張波長を利用して下り拡張光信号を送信することで要求を満足させることができる。従って、本発明は、ユーザ側の要求に応じた帯域変更が低コスト且つ柔軟に行える局側終端装置を提供することができる。
【００２３】
本発明に係る局側終端装置は、特定の前記下り拡張光信号が少なくとも１つの前記下り拡張波長を専有するように前記下り拡張波長を割り振り、特定の前記上り拡張光信号が少なくとも１つの前記上り拡張波長を専有するように前記上り拡張波長を割り振るバンドアロケーションコントローラをさらに有してもよい。例えば、特定の加入者側終端装置に対して特定の下り拡張波長及び特定の上り拡張波長を排他的に割り当て、他の加入者側終端装置が使用できないようにする。これにより、特定の加入者側終端装置は特定の下り拡張波長及び特定の上り拡張波長を独占的に使用でき、セキュリティ向上や帯域の絶対的な安定性を享受できる。
【００２４】
本発明に係る局側終端装置は、１つの前記下り拡張波長において複数の前記下り拡張光信号が光時分割多重化するように前記下り拡張波長のタイムスロットを前記下り拡張光信号に割り振り、１つの前記上り拡張波長において複数の前記上り拡張光信号が光時分割多重化するように前記上り拡張波長のタイムスロットを前記上り拡張光信号に割り振るバンドアロケーションコントローラをさらに有してもよい。複数の加入者側終端装置で下り拡張波長及び上り拡張波長を共有しており、広帯域が必要なときのみに下り拡張波長及び上り拡張波長を提供し、広帯域が必要でなくなったときには、提供していた下り拡張波長及び上り拡張波長を開放することで、波長帯を有効に活用できる。
【００２５】
本発明に係る光通信システムは、前記加入者側終端装置と、前記局側終端装置と、前記局側終端装置からの前記下り光信号を分岐して前記加入者側終端装置に結合し、且つ前記加入者側終端装置からの前記上り光信号を合流して前記局側終端装置に結合する光スプリッタと、を備える光通信システムであって、前記局側終端装置は、前記加入者側終端装置に対して前記下り光信号に前記下り原光信号と前記下り拡張信号を含めて送信し、前記加入者側終端装置は、前記光スプリッタで前記上り光信号が合流したときに光時分割多重化されるように前記上り光信号を送信することを特徴とする。
【００２６】
本発明に係る光通信システムは、広帯域を要求するユーザに拡張送受信ユニットを順次追加できる加入者側終端装置を配置する。ユーザの要求に応じて帯域を拡張することができる。従って、本発明は、ユーザ側の要求に応じた帯域変更が低コスト且つ柔軟に行える光通信システムを提供することができる。
【００２７】
本発明に係る光通信システムの前記局側終端装置は、前記加入者側終端装置に対して前記上り拡張光信号に使用する前記上り拡張波長を指定するシグナリングを前記下り原波長を利用して行い、前記加入者側終端装置への前記下り拡張光信号に使用する前記下り拡張波長を指定するバンドアロケーションコントローラを有することができる。また、本発明に係る光通信システムの前記局側終端装置は、前記加入者側終端装置に対して前記上り拡張光信号に使用する前記上り拡張波長を指定するシグナリングを前記下り拡張波長を利用して行い、前記加入者側終端装置への前記上り拡張光信号に使用する前記上り拡張波長を指定するバンドアロケーションコントローラを有することができる。
【００２８】
局側終端装置から上り拡張光信号を出力するか否か、上り拡張光信号を出力する場合の上り拡張波長をコントロールすることができる。加入者側終端装置でこれらの設定をする必要がなく、本発明は、ユーザ側の要求に応じた帯域変更が低コスト且つ柔軟に行える光通信システムを提供することができる。
【発明の効果】
【００２９】
本発明は、ユーザ側の要求に応じた帯域変更が低コスト且つ柔軟に行える加入者側終端装置、局側終端装置、及び光通信システムを提供することができる。
【図面の簡単な説明】
【００３０】
【図１】ＰＯＮトポロジーを説明する概念図である。
【図２】本発明に係る局側終端装置を説明するブロック図である。
【図３】本発明に係る加入者側終端装置の原送受信ユニットを説明するブロック図である。
【図４】本発明に係る加入者側終端装置の拡張送受信ユニットを説明するブロック図である。
【図５】本発明に係る加入者側終端装置の拡張送受信ユニットを説明するブロック図である。
【図６】本発明に係る光通信システムでの波長配置例である。
【図７】本発明に係る光通信システムでの波長配置例である。
【図８】本発明に係る局側終端装置の動作を説明するタイミングチャートである。
【図９】本発明に係る局側終端装置の動作を説明するタイミングチャートである。
【図１０】本発明に係る局側終端装置の動作を説明するタイミングチャートである。
【図１１】本発明に係る局側終端装置の動作を説明するタイミングチャートである。
【図１２】本発明に係る局側終端装置の動作を説明するタイミングチャートである。
【図１３】本発明に係る局側終端装置の動作を説明するタイミングチャートである。
【図１４】本発明に係る加入者側終端装置を説明するブロック図である。
【発明を実施するための形態】
【００３１】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３２】
（実施形態１）
図１は、本実施形態の光通信システムのトポロジーである。光通信システムは、複数の加入者側終端装置１３と、局側終端装置１１と、局側終端装置１１からの下り光信号を分岐して加入者側終端装置１３に結合し、且つ加入者側終端装置１３からの上り光信号を合流して局側終端装置１１に結合する光スプリッタ１２と、を備える。以下、局側終端装置１１をＯＬＴ１１、加入者側終端装置１３をＯＮＵ１３と記載することがある。
【００３３】
図２は、ＯＬＴ１１を説明するブロック図である。本実施形態のＯＬＴ１１は、下り原波長において複数の信号光を光時分割多重化して下り原光信号Ｌｄ０を出力し、且つ上り原波長において光時分割多重化された上り原光信号Ｌｕ０を受信する局側原送受信部２２と、下り原波長と異なる下り拡張波長の下り拡張光信号Ｌｄａ−ｎ（ｎは自然数）を出力し、且つ上り原波長と異なる上り拡張波長の上り拡張光信号Ｌｕａ−ｎを受信する局側拡張送受信部２３−ｎと、局側原送受信部２２からの下り原光信号Ｌｄ０と局側拡張送受信部２３−ｎからの下り拡張光信号Ｌｄａ−ｎとを合波した下り光信号Ｗｄを外部へ出力し、且つ外部からの上り光信号Ｗｕを上り原光信号Ｌｕ０と上り拡張光信号Ｌｕａ−ｎとに分波してそれぞれを局側原送受信部２２と局側拡張送受信部２３−ｎに結合する光合分波器２４と、を有する。信号処理部２１は、局側原送受信部２２及び局側拡張送受信部２３−ｎと接続しており、ＰＯＮで送信するデータを局側原送受信部２２及び局側拡張送受信部２３−ｎに入力し、ＰＯＮで送信されてきたデータを出力する。
【００３４】
ＯＬＴ１１は、新たな波長の光信号（下り拡張光信号Ｌｄａ−ｎ及び上り拡張光信号Ｌｕａ−ｎ）を使用して通信サービスを行う拡張ＰＯＮシステム用途に加えて、従来の波長の光信号（下り原光信号Ｌｄ０及び上り原光信号Ｌｕ０）を使用した既存ＰＯＮシステム用途にも使用できる。局側拡張送受信部（２３−１〜２３−ｎ）が拡張ＰＯＮシステム用であり、局側原送受信部２２が既存ＰＯＮシステム用である。更に、光合分波器２４は、拡張ＰＯＮシステム用の新たな波長の光信号と既存ＰＯＮシステム用の従来の波長の光信号を合分波する。例えば、光合分波器２４は、ＷＤＭフィルタである。
【００３５】
本実施形態の光通信システムには複数のＯＮＵ１３が接続されている。ＯＮＵ１３には、下り原光信号Ｌｄ０のみ受信可能且つ上り原光信号Ｌｕ０のみ送信可能である既存の標準ＯＮＵ１３−ａが含まれる。また、ＯＮＵ１３には、図３のような下り原光信号Ｌｄ０のみ受信可能且つ上り原光信号Ｌｕ０のみ送信可能である本実施形態の拡張可能ＯＮＵ１３−ｂも含まれる。
【００３６】
図３の拡張可能ＯＮＵ１３−ｂは、外部からの下り光信号Ｗｄが入力され、且つ外部へ上り光信号Ｗｕを出力する光送受信端子３７と、光送受信端子３７からの下り光信号Ｗｄを下り原波長の下り原光信号Ｌｄ０と下り拡張波長の下り拡張光信号Ｌｄａ−ｎとに分波し、且つ上り原波長の上り原光信号Ｌｕ０と上り拡張波長の上り拡張光信号Ｌｕａ−ｎとを合波して光送受信端子３７へ出力する光合分波器３４と、光合分波器３４からの下り原光信号Ｌｄ０を受信し、且つ上り原光信号Ｌｕ０を光合分波器３４へ出力する加入者側原送受信部３２と、光合分波器３４で分波された下り拡張光信号Ｌｄａ−ｎが結合され、且つ上り拡張光信号Ｌｕａ−ｎを光合分波器３４へ結合する拡張用接続端子３５と、を有する原送受信ユニット３０を含む。拡張用接続端子３５は、光信号を通す光接続端子と、電気信号を通す電気信号用接続端子からできている。
【００３７】
拡張可能ＯＮＵ１３−ｂは、入力される下り光信号Ｗｄを光合分波器３４で下り原光信号Ｌｄ０と下り拡張光信号Ｌｄａ−ｎに分波する。例えば、光合分波器３４は、ＷＤＭフィルタである。
【００３８】
加入者側原送受信部３２は下り原光信号Ｌｄ０を受信して電気信号に変換し、信号処理部３１へ出力する。拡張用接続端子３５には下り拡張光信号Ｌｄａ−ｎが結合されるが、拡張用接続端子３５に何も接続されない場合は、下り拡張光信号Ｌｄａ−ｎはここで消滅する。なお、拡張用接続端子３５には、端面での反射を防ぐターミネータを接続してもよい。
【００３９】
拡張用接続端子３５の電気信号用接続端子と信号処理部３１とが接続されている。電気信号用接続端子からの電気信号が入力された場合、電気信号は信号処理部３１に結合され、加入者側原送受信部３２からの電気信号とともにユーザインターフェース３６から出力される。また、ユーザインターフェース３６に入力される電気信号は信号処理部３１を経由して拡張用接続端子３５の電気信号用接続端子と加入者側原送受信部３２に結合される。
【００４０】
加入者側原送受信部３２は、電気信号に基づき上り原光信号Ｌｕ０を出力する。光合分波器３４は、上り原光信号Ｌｕ０を上り光信号Ｗｕとして光送受信端子３７から出力する。拡張用接続端子３５に上り拡張光信号Ｌｕａ−ｎが入力された場合、光合分波器３４は、上り原光信号Ｌｕ０と上り拡張光信号Ｌｕａ−ｎとを合波して上り光信号Ｗｕとして光送受信端子３７から出力する。
【００４１】
以上のように、拡張用接続端子３５に後述する拡張送受信ユニットが接続されない場合、拡張可能ＯＮＵ１３−ｂは、既存の下り原光信号と上り原光信号のみを送受信する加入者側終端装置として動作する。
【００４２】
次に、拡張用接続端子３５に接続する拡張送受信ユニットについて説明する。図４は、拡張送受信ユニット４０を説明するブロック図である。拡張送受信ユニット４０は、第１連結用接続端子４５と、第２連結用接続端子４７と、加入者側拡張送受信部４２と、光カプラ４８と、を有する。
【００４３】
第１連結用接続端子４５は、下り拡張光信号Ｌｄａ−ｎが入力され、且つ上り拡張光信号Ｌｕａ−ｎを出力する。第２連結用接続端子４７は、上り拡張光信号Ｌｕａ−ｎが入力され、且つ下り拡張光信号Ｌｄａ−ｎを出力する。加入者側拡張送受信部４２は、１つの下り拡張波長の下り拡張光信号Ｌｄａ−ｎを受信し、且つ１つの上り拡張波長の上り拡張光信号Ｌｕａ−ｎを出力する。光カプラ４８は、第１連結用接続端子４５からの下り拡張光信号Ｌｄａ−ｎを分岐し、一方を第２連結用接続端子４７へ結合し、他方を加入者側拡張送受信部４２へ結合する。さらに光カプラ４８は、第２連結用接続端子４７からの上り拡張光信号Ｌｕａ−ｎと加入者側拡張送受信部４２からの上り拡張光信号Ｌｕａ−ｎとを合流する。拡張送受信ユニット４０は、光カプラ４８と第１連結用接続端子４５との間で下り拡張光信号Ｌｄａ−ｎ及び上り拡張光信号Ｌｕａ−ｎを増幅する光増幅器４４をさらに有する。
【００４４】
第１連結用接続端子４５及び第２連結用接続端子４７は、拡張用接続端子３５と同様に、光信号を通す光接続端子と、電気信号を通す電気信号用接続端子からできている。光増幅器４４は、光カプラ４８の合分岐による損失を補償する。また、光増幅器４４は、光スプリッタ１２での損失を補償するため、送受信信号の光強度を上げることも可能となっている。
【００４５】
第１連結用接続端子４５から入力された下り拡張光信号Ｌｄａ−ｎは、光増幅器４４で増幅され、光カプラ４８で分岐される。一方の下り拡張光信号Ｌｄａ−ｎは、第２連結用接続端子４７に結合されるが、第２連結用接続端子４７に何も接続されない場合は、下り拡張光信号Ｌｄａ−ｎはここで消滅する。なお、第２連結用接続端子４７には、端面での反射を防ぐターミネータを接続してもよい。他方の下り拡張光信号Ｌｄａ−ｎは、光カプラ４９で波長可変フィルタ４３に結合される。波長可変フィルタ４３は下り拡張光信号Ｌｄａ−ｎに含まれる下り拡張波長の中から所望の波長の下り拡張光信号のみを取り出す。例えば、本実施形態では波長可変フィルタ４３は下り拡張光信号Ｌｄａ−１を取り出すとする。
【００４６】
加入者側拡張送受信部４２は、下り拡張光信号Ｌｄａ−１を受信し、電気信号を信号処理部４１に結合する。信号処理部４１には、第１連結用接続端子４５の電気信号用接続端子及び第２連結用接続端子４７の電気信号用接続端子からも電気信号が結合される。信号処理部４１は、これらの電気信号をユーザインターフェース４６から出力する。
【００４７】
また、ユーザインターフェース４６に入力される電気信号は信号処理部４１を経由して第１連結用接続端子４５の電気信号用接続端子、第２連結用接続端子４７の電気信号用接続端子、及び加入者側拡張送受信部４２に結合される。
【００４８】
加入者側拡張送受信部４２は、可変波長光源を有しており、所望の波長の光信号を出力できる。このため、加入者側拡張送受信部４２は、結合された電気信号に応じた所望の波長で上り拡張光信号Ｌｕａ−１を出力する。
【００４９】
加入者側拡張送受信部４２が出力した上り拡張光信号Ｌｕａ−１は、光カプラ４９及び光カプラ４８を経由して第１連結用接続端子４５に結合される。第２連結用接続端子４７から上り拡張光信号Ｌｕａ−ｎが入力された場合、上り拡張光信号Ｌｕａ−１は光カプラ４８で上り拡張光信号Ｌｕａ−ｎに合波されて第１連結用接続端子４５に結合される。
【００５０】
すなわち、拡張送受信ユニット４０は、加入者側拡張送受信部４２の可変波長光源と波長可変フィルタ４３を備えるため、拡張ＰＯＮシステムの使用する波長範囲内であれば自由に送受信波長を変えることができ、自由な波長設定とカラレスな加入者側終端装置とすることが可能となる。
【００５１】
図１４は、本実施形態のＯＮＵ１３のうち広帯域を要求する特定ＯＮＵ１３−ｃを説明するブロック図である。特定ＯＮＵ１３−ｃは、図３で説明した拡張可能ＯＮＵ１３−ｂに図４で説明した拡張送受信ユニット４０を接続したものである。具体的には、拡張可能ＯＮＵ１３−ｂの原送受信ユニット３０の拡張用接続端子３５と拡張送受信ユニット４０の第１連結用接続端子４５とを接続する。
【００５２】
光合分波器３４で分波された下り拡張光信号Ｌｄａ−ｎは、拡張用接続端子３５及び第１連結用接続端子４５を経由して拡張送受信ユニット４０内に伝搬される。拡張送受信ユニット４０に伝搬された下り拡張光信号Ｌｄａ−ｎは、図４で説明したように処理される。また、拡張送受信ユニット４０からの上り拡張光信号Ｌｕａ−ｎは、第１連結用接続端子４５及び拡張用接続端子３５を経由し、原送受信ユニット３０内に伝搬される。原送受信ユニット３０内に伝搬された上り拡張光信号Ｌｕａ−ｎは、図３で説明したように処理される。
【００５３】
すなわち、原送受信ユニット３０は、光送受信端子３７に入力された下り光信号Ｗｄのうち下り拡張光信号Ｌｄａ−ｎを拡張送受信ユニット４０の加入者側拡張送受信部４２に受信させ、拡張送受信ユニット４０は、原送受信ユニット３０に加入者側拡張送受信部４２からの上り拡張光信号Ｌｕａ−ｎを光送受信端子３７から出力させる。
【００５４】
このように、特定ＯＮＵ１３−ｃは、原送受信ユニット３０で既存ＰＯＮシステムの波長の光信号を処理し、拡張送受信ユニット４０で拡張ＰＯＮシステムの波長の光信号を処理する。
【００５５】
拡張送受信ユニット４０を複数段連結することができる。具体的には、１の拡張送受信ユニット４０の第２連結用接続端子４７に他の拡張送受信ユニット４０の第１連結用接続端子４５を接続することができる。原送受信ユニット３０側にある１の拡張送受信ユニット４０と連結する他の拡張送受信ユニット４０は、１の原送受信ユニット３０を経由した下り拡張光信号Ｌｄａ−ｎを受信し、上り拡張光信号Ｌｕａ−ｎを１の拡張送受信ユニット４０を経由させ原送受信ユニット３０の光送受信端子３７から出力させる。この場合、光増幅器４４のゲインを調整することで損失を回避できる。
【００５６】
拡張送受信ユニット４０を複数段連結することで、下り拡張波長及び上り拡張波長を一波ずつ増やしていき、最小限の下り拡張波長及び上り拡張波長でユーザが要求する帯域を確保することができる。なお、下り拡張波長の数と上り拡張波長の数が異なっていてもよい。
【００５７】
本実施形態の光通信システムでは、ＯＬＴ１１が、特定ＯＮＵ１３−ｃに対して下り光信号Ｗｄに下り原光信号Ｌｄ０と下り拡張信号Ｌｄａ−ｎを含めて送信し、ＯＮＵ１３は、光スプリッタ１２で上り光信号Ｗｕが合流したときに光時分割多重化されるように上り光信号Ｗｕを送信する。
【００５８】
ＯＬＴ１１や特定ＯＮＵ１３−ｃを備えることで、コストを抑えて柔軟に波長運用できる光通信システムが可能となる。また、波長ごとに異なるサービスを載せる事によって、多種多様のサービスを提供することができる。
（実施形態２）
【００５９】
図５は、拡張送受信ユニット４０’を説明するブロック図である。拡張送受信ユニット４０’と拡張送受信ユニット４０との違いは、加入者側拡張送受信部４２が加入者側拡張送受信部５２へ置換されていることである。加入者側拡張送受信部５２は、波長可変フィルタ４３と組み合わせることでｍ個（ｍ≦ｎ）の下り拡張波長の光信号を受信できる。また、加入者側拡張送受信部５２は、ｍ個の可変波長光源を持ち、ｍ個の上り拡張波長の光信号を出力することができる。なお、図５ではｍ＝２の場合を示しているが、これ以外の数であってもよい。
【００６０】
初めから広い帯域を要求しているユーザに対しては、図３の原送受信ユニット３０に図４の拡張送受信ユニット４０を接続するのではなく、複数の下り拡張波長及び上り拡張波長を処理できる図５の拡張送受信ユニット４０’を接続する。特定ＯＮＵ１３−ｃの帯域を大幅に広げることができる。
【００６１】
拡張送受信ユニット４０’を接続した特定ＯＮＵ１３−ｃも、上り帯域と下り帯域を非対称に割当てることができる。また、波長ｍ本で与えられる以上の帯域が要求される場合には、さらに拡張送受信ユニット４０’や拡張送受信ユニット４０を第２連結用接続端子４７に接続する。
【００６２】
（実施形態３）
図２のＯＬＴ１１は、特定の下り拡張光信号が少なくとも１つの下り拡張波長を専有するように下り拡張波長を割り振るバンドアロケーションコントローラ（不図示）をさらに有する。バンドアロケーションコントローラが特定の下り拡張波長を特定ユーザに割当てることで、特定ユーザはこの波長を排他的に使用することができる。また、このバンドアロケーションコントローラは、特定ＯＮＵ１３−ｃからの上り拡張光信号が少なくとも１つの上り拡張波長を専有するように上り拡張波長を割り振る。バンドアロケーションコントローラが特定の上り拡張波長を特定ユーザに割当てることで、特定ユーザはこの波長を排他的に使用することができる。なお、ＯＬＴ１１が上り拡張波長を割り振る波長設定については後述する。
【００６３】
バンドアロケーションコントローラは上り拡張波長及び下り拡張波長の一波あるいは複数波を１ユーザ（１の加入者側終端装置）に排他的に接続し、専用線的に使用することが可能である。このとき、他ユーザ（他の加入者側終端装置）は排他接続された波長以外の波長を使用し、広帯域通信を行う。
【００６４】
図６は、バンドアロケーションコントローラが波長を特定のユーザに割当てた場合の光通信システムでの波長配置例である。λ０及びλ０’は既存ＰＯＮシステム用の上り原波長及び下り原波長である。λ１、λ２、・・・、λ１’、λ２’・・・は拡張ＰＯＮシステム用の上り拡張波長及び下り拡張波長である。上り拡張波長λ１及びλ２、下り拡張波長λ１’及びλ２’をユーザ１に専有させている。上り拡張波長λ３及び下り拡張波長λ３’をユーザ２に専有させている。上り拡張波長λ４及び下り拡張波長λ４’をユーザ３に専有させている。ユーザ１に対して上り拡張波長λ１及びλ２、下り拡張波長λ１’及びλ２’を排他的に割当てるので、他のユーザは当該波長を使用できない。
【００６５】
図７は、バンドアロケーションコントローラが波長を特定のユーザに割当てた場合の光通信システムでの波長配置例である。上り拡張波長λ１及びλ２、下り拡張波長λ１’及びλ２’をユーザ１に専有させている。ユーザ１に対して上り拡張波長λ１及びλ２、下り拡張波長λ１’及びλ２’を排他的に割当てるので、他のユーザは当該波長を使用できない。このような波長割り当ては、特定のユーザが当該波長を独占的に使用でき、専用線的に使用できるため、セキュリティ向上や帯域の絶対的な安定性を享受できる。
【００６６】
なお、図７の上り拡張波長（λ３、λ４、・・・）及び下り拡張波長（λ３’、λ４’、・・・）については、拡張波長を使用するユーザで共有している。図６及び図７では、複数ユーザが拡張ＰＯＮシステムを利用している場合を想定しているが、１ユーザのみが契約している場合でも、このような排他的な波長割り当ては可能である。
【００６７】
（実施形態４）
図２のＯＬＴ１１は、１つの下り拡張波長において複数の下り拡張光信号Ｌｄａ−ｎが光時分割多重化するように下り拡張波長のタイムスロットを下り拡張光信号Ｌｄａ−ｎに割り振るバンドアロケーションコントローラ（不図示）をさらに有する。また、このバンドアロケーションコントローラは、１つの上り拡張波長において複数の上り拡張光信号Ｌｕａ−ｎが光時分割多重化するように下り拡張波長のタイムスロットを上り拡張光信号Ｌｕａ−ｎに割り振る。
【００６８】
各ユーザに異なる数のＯＮＵ１３を装備して、異なる帯域のサービスを行うことができる。更に、バンドアロケーションコントローラは、複数波長に跨る帯域を監視してサービスに広帯域が必要なときのみに複数帯域を提供し、広帯域が必要でなくなったときには、提供していた波長を開放する事により、波長帯を有効に活用できる。このような制御を特定ＯＮＵ１３−ｃの使用帯域の変動に応じて動的に行われる。このようにして、様々な広帯域を要求する加入者に対し、コストを抑えて柔軟に対応できるようになる。
【００６９】
次に、バンドアロケーションコントローラが行う波長の振り分けについての詳細を説明する。図８〜図１３は波長割当て方法についてまとめた図である。図８〜図１３の光通信システムは、特定ＯＮＵ１３−ｃが４つ接続されている。これら４つの特定ＯＮＵ１３−ｃをそれぞれＯＮＵ１、ＯＮＵ２、ＯＮＵ３、及びＯＮＵ４で示している。それぞれの特定ＯＮＵ１３−ｃのユーザは複数波長に渡る帯域を契約しているものとする。なお、図８〜図１３では上り原光信号Ｌｕ０（波長λ０）と上り拡張光信号Ｌｕａ−１〜７（波長λ１〜７）のみを示しているが、上り拡張光信号の数はこれに限定されない。また、下り拡張光信号についても同様なシグナリングが行われる。
【００７０】
それぞれの波長割当について説明する。図８は、既存ＰＯＮシステムのみで下りＴＤＭ（Ｔｉｍｅ  Ｄｉｖｉｓｉｏｎ  Ｍｕｌｔｉｐｌｅｘｉｎｇ）、上りＴＤＭＡ（Ｔｉｍｅ  Ｄｉｖｉｓｉｏｎ  Ｍｕｌｔｉｐｌｅ  Ａｃｃｅｓｓ）の通信している場合である。図９は、ＯＮＵ４のみが、拡張ＰＯＮシステム上で上り拡張波長λ１を利用している場合である。図１０は、ＯＮＵ１〜４が拡張ＰＯＮシステム上でそれぞれ上り拡張波長λ１〜４を使用している場合である。この場合、拡張ＰＯＮシステムはＷＤＭである。図１１は、ＯＮＵ１〜４が拡張ＰＯＮシステム上で上り拡張波長を使用し、かつＯＮＵ３が複数の上り拡張波長を使用している場合である。この場合、拡張ＰＯＮシステムはＷＤＭである。図１２は、ＯＮＵ１〜４が拡張ＰＯＮシステム上で上り拡張波長を使用し、かつＯＮＵ３とＯＮＵ４が複数の上り拡張波長を使用している場合である。この場合、拡張ＰＯＮシステムはＷＤＭである。
【００７１】
図９〜１２の場合には、上り拡張波長は余っているので、拡張ＰＯＮシステムはＷＤＭで各ＯＮＵに波長の割当を行う。また、図９〜１２の場合には、通信を休止していた任意のユーザが、新たに帯域を要求してきたときには、使用されていない上り拡張波長が割当てられる。
【００７２】
図１３は、契約波長数の合計＞全波長数のため、ＯＮＵ１〜４が拡張ＰＯＮシステム上で上り拡張波長を共有しており、上り拡張波長に余裕のない場合である。図１３の場合、以下のように波長割当を行う。
【００７３】
いずれのＯＮＵも上り拡張帯域を専有しているわけではないので、空き帯域が発生することがある。ＯＮＵから新たに要求された帯域が空き帯域のある１波長で収まる場合、この上り拡張波長で時分割多重を行い、ＯＮＵの要求帯域を確保する。
【００７４】
また、ＯＮＵから新たに要求された帯域が空き帯域のある１波長では収まらない場合、複数の上り拡張波長を使用してもよい。この場合には、複数の上り拡張波長で時分割多重を行い、ＯＮＵの要求帯域を確保する。図１３のような場合、拡張ＰＯＮシステムは波長分割多重（ＷＤＭ）と時分割多重（下りＴＤＭ、上りＴＤＭＡ）を混合させて光信号を送信している。
【００７５】
図１３の説明では、空き帯域は常に要求された帯域を確保できるようになっているが、要求帯域を確保できない場合もあり得る。このような場合には、各ＯＮＵからの上り光信号の優先度を見て優先度の低い通信を中断して、要求帯域を確保することが可能である。一方、ＯＮＵからの新たな帯域要求を拒否して、それまでＯＮＵに与えていた帯域を維持してもよい。また、ＯＮＵからの新たな帯域要求に対して、要求された帯域の一部のみを確保し、新たに空き帯域が発生したときに、帯域を追加していくことも可能である。
【００７６】
（実施形態５）
次に、バンドアロケーションコントローラが行うシグナリングについて説明する。ＯＬＴ１１のバンドアロケーションコントローラは、特定ＯＮＵ１３−ｃに対して上り拡張光信号Ｌｕａ−ｎに使用する上り拡張波長を指定するシグナリングを下り原波長を利用して行う。また、ＯＬＴ１１のバンドアロケーションコントローラは、特定ＯＮＵ１３−ｃに対して上り拡張光信号Ｌｕａ−ｎに使用する上り拡張波長を指定するシグナリングを下り拡張波長を利用して行ってもよい。
【００７７】
（シグナリング手段１）
本実施形態の光通信システムで、図８から図１３のような波長制御を行うために、ＯＬＴ１１のバンドアロケーションコントローラは、特定ＯＮＵ１３−ｃに対してシグナリングのためのデータ信号を送信することになる。そして、図１４の特定ＯＮＵ１３−ｃはそのデータ信号を処理する拡張ＰＯＮシステム用シグナリング処理回路（不図示）を装備している。
【００７８】
ＯＬＴは拡張ＰＯＮシステムの最初の特定ＯＮＵ１３−ｃが接続されたときに下り拡張波長の波長配置を更新しなければならない。一方、特定ＯＮＵ１３−ｃの上り拡張波長の波長配置は上り拡張波長の必要性に応じてユーザ毎に更新していく。
【００７９】
原送受信ユニット３０や拡張送受信ユニット４０に新たに拡張送受信ユニット４０が接続されたことは、既存ＰＯＮシステムと同様の方法でＯＬＴに知らされる。この際のフラグは、既存ＰＯＮシステムのものと異なり、拡張ＰＯＮシステム独自のフラグを使用する。
【００８０】
ＯＬＴからの拡張ＰＯＮシステムのシグナリングは、シグナリング信号としてではなく、各特定ＯＮＵ１３−ｃへの特殊なデータ信号として発せられる。各特定ＯＮＵ１３−ｃは、拡張ＰＯＮシステム用シグナリング処理回路で、そのメッセージが拡張ＰＯＮシステム用の拡張送受信ユニット４０に対するシグナリングであると解釈し、拡張用接続端子３５及び第１連結用接続端子４５を通して拡張送受信ユニット４０に送られる。拡張送受信ユニット４０はデータ信号のシグナリングに基づき、受信する下り拡張光信号Ｌｄａ−ｎの波長、及び送信する上り拡張光信号Ｌｕａ−ｎの波長を設定する。具体的には、データ信号のシグナリングに基づき、拡張送受信ユニット４０は波長可変フィルタ４３の透過する波長を下り拡張光信号Ｌｄａ−１の波長に設定し、加入者側拡張送受信部４２の可変波長光源の波長を上り拡張光信号Ｌｕａ−１の波長に設定する。
【００８１】
特定ＯＮＵ１３−ｃが新たに帯域要求する場合や特定ＯＮＵ１３−ｃが光通信システムに新たに接続された場合、拡張送受信ユニット４０から帯域要求するシグナリング信号を発生し、拡張用接続端子３５及び第１連結用接続端子４５を介して既存ＰＯＮシステムの拡張システム用シグナリング処理回路を介して、ＯＬＴへの特別なフラグを立てたメッセージとして生成される。このメッセージは、既存ＰＯＮシステムから上り原波長で拡張ＰＯＮシステムのシグナリング信号がＯＬＴに送られる。
【００８２】
ＯＬＴにも拡張ＰＯＮシステム用シグナリング処理回路が備えられている。ＯＬＴへ送られたメッセージは、特別なフラグにより拡張ＰＯＮシステム用シグナリング処理回路で拡張ＰＯＮシステムのシグナリング信号と分類される。ＯＬＴはシグナリング信号に沿った上り拡張波長及び下り拡張波長の波長設定を行うことになる。
【００８３】
（シグナリング手段２）
シグナリング手段２は次の点でシグナリング手段１と異なる。シグナリング手段２を採用する場合、ＯＬＴ及び特定ＯＮＵ１３−ｃともに拡張ＰＯＮシステム用シグナリング処理回路を持つ。
【００８４】
ＯＬＴからの拡張ＰＯＮシステムのシグナリングは、新たなシグナリング信号として定義される。特定ＯＮＵ１３−ｃは拡張ＰＯＮシステム用シグナリング処理回路で、シグナリング信号が拡張送受信ユニット４０に対するシグナリングと解釈し、拡張用接続端子３５及び第１連結用接続端子４５を通して拡張送受信ユニット４０に送られる。拡張送受信ユニット４０はシグナリング信号に基づき、受信する下り拡張光信号Ｌｄａ−ｎの波長、及び送信する上り拡張光信号Ｌｕａ−ｎの波長を設定する。具体的には、シグナリング信号に基づき、拡張送受信ユニット４０は波長可変フィルタ４３の透過する波長を下り拡張光信号Ｌｄａ−１の波長に設定し、加入者側拡張送受信部４２の可変波長光源の波長を上り拡張光信号Ｌｕａ−１の波長に設定する。
【００８５】
特定ＯＮＵ１３−ｃが新たに帯域要求する場合や特定ＯＮＵ１３−ｃが光通信システムに新たに接続された場合は、シグナリング手段１と同様に動作する。
【００８６】
（シグナリング手段３）
ＯＬＴからの拡張ＰＯＮシステムのシグナリングは、拡張ＰＯＮシステムの下り拡張波長のシグナリング信号で行われる。具体的には、拡張送受信ユニット４０は拡張ＰＯＮシステム用シグナリング処理回路を持つ。シグナリング信号は特定ＯＮＵ１３−ｃ内で拡張送受信ユニット４０に送られるので、拡張ＰＯＮシステム用シグナリング処理回路は直接シグナリング信号を受信する。拡張送受信ユニット４０はシグナリング信号に基づき、受信する下り拡張光信号Ｌｄａ−ｎの波長、及び送信する上り拡張光信号Ｌｕａ−ｎの波長を設定する。具体的には、シグナリング信号に基づき、拡張送受信ユニット４０は波長可変フィルタ４３の透過する波長を下り拡張光信号Ｌｄａ−１の波長に設定し、加入者側拡張送受信部４２の可変波長光源の波長を上り拡張光信号Ｌｕａ−１の波長に設定する。
【００８７】
特定ＯＮＵ１３−ｃが新たに帯域要求する場合や特定ＯＮＵ１３−ｃが光通信システムに新たに接続された場合、拡張送受信ユニット４０の拡張ＰＯＮシステム用シグナリング処理回路から帯域要求するシグナリング信号を直接発生し、上り拡張波長を利用して発信される。ＯＬＴにも拡張ＰＯＮシステム対応シグナリング処理回路が備えられている。ＯＬＴはシグナリング信号に沿った下り拡張波長の波長設定を行うことになる。
【符号の説明】
【００８８】
１１：局側終端装置（ＯＬＴ）
１２：光スプリッタ
１３：加入者側終端装置（ＯＮＵ）
１３−ａ：標準加入者側終端装置（標準ＯＮＵ）
１３−ｂ：拡張可能加入者側終端装置（拡張可能ＯＮＵ）
１３−ｃ：特定加入者側終端装置（特定ＯＮＵ）
２１、３１、４１：信号処理部
２２：局側原送受信部
２３−ｎ：局側拡張送受信部
２４、３４：光合分波器
３０：原送受信ユニット
３２：加入者側原送受信部
３５：拡張用接続端子
３６、４６：ユーザインターフェース
３７：光送受信端子
４０、４０’：拡張送受信ユニット
４２：加入者側拡張送受信部
４３：波長可変フィルタ
４４：光増幅器
４５：第１連結用接続端子
４７：第２連結用接続端子
４８、４９：光カプラ
５２：加入者側拡張送受信部
９９：ターミネータ
【図１】
2011014960.tif 000003
【図２】
2011014960.tif 000004
【図３】
2011014960.tif 000005
【図４】
2011014960.tif 000006
【図５】
2011014960.tif 000007
【図６】
2011014960.tif 000008
【図７】
2011014960.tif 000009
【図８】
2011014960.tif 000010
【図９】
2011014960.tif 000011
【図１０】
2011014960.tif 000012
【図１１】
2011014960.tif 000013
【図１２】
2011014960.tif 000014
【図１３】
2011014960.tif 000015
【図１４】
2011014960.tif 000016